(57)【要約】【課題】  記録媒体の無駄及び記録媒体の搬送中の負荷変動に起因する画像悪化を防止しつつ、複数のカラー画像を記録する場合のプリンタの処理能力を向上させる。【解決手段】  用紙供給部４０から巻き解かれた用紙を印字部７０のサーマルヘッド７１ａ〜７３ａに対向させつつカラー画像の印字を行わないで搬送方向下流側に向かって搬送する。そして、１オーダーに含まれる複数のカラー画像の全てを印字可能な長さの用紙が印字部７０よりも搬送方向下流側に搬送された時点で、用紙の搬送を停止する。その後、印字部７０よりも搬送方向上流側に配置された搬送ローラ対３４によって、用紙を搬送方向上流側に向かって逆送させながら、印字部７０のサーマルヘッド７１ａ〜７３ａによって複数のカラー画像を連続して印字する。【選択図】図２
2005262733.tif 000002
【特許請求の範囲】
【請求項１】
記録媒体にカラー画像を記録可能な画像記録部と、
長尺の記録媒体を貯留した供給部と、
記録媒体を前記画像記録部に対向させつつ前記供給部から前記画像記録部に向かう第１の方向と、前記第１の方向と反対方向である第２の方向とに搬送可能な搬送機構と、
記録媒体の先端が前記画像記録部から前記第１の方向に離れた位置に達するまで記録媒体が前記第１の方向に搬送された後に前記第２の方向に搬送されるように、前記搬送機構を制御する搬送制御手段と、
前記搬送機構によって前記第２の方向に搬送されている記録媒体に前記画像記録部によって複数のカラー画像が記録されるように、前記画像記録部を制御する画像記録制御手段とを備えていることを特徴とするプリンタ。
【請求項２】
前記搬送機構は、前記供給部と前記画像記録部との間において記録媒体に搬送力を付与することによって、記録媒体を前記第２の方向に搬送可能であることを特徴とする請求項１に記載のプリンタ。
【請求項３】
前記搬送制御手段は、記録媒体が前記画像記録部よりも下流側に搬送された後に前記第２の方向に搬送されるように、前記搬送機構を制御することを特徴とする請求項１または２に記載のプリンタ。
【請求項４】
前記搬送機構は、前記供給部と前記画像記録部との間において記録媒体を挟持しつつ回転して搬送力を付与可能な搬送ローラ対を有しており、
前記搬送ローラ対と前記画像記録部との間において記録媒体の先端を検出可能な先端検出手段と、
前記搬送ローラ対の回転数を検出可能な回転数検出手段と、
前記先端検出手段により記録媒体の先端が検出された後に前記回転数検出手段により検出される回転数に基づいて、記録媒体の搬送方向が前記第１の方向から前記第２の方向に変更される前に、前記画像記録部よりも下流側に搬送された記録媒体の搬送長さを検知する検知手段とをさらに備えていることを特徴とする請求項１〜３のいずれか１項に記載のプリンタ。
【請求項５】
前記画像記録部よりも下流側に搬送可能な記録媒体の最大長さを記憶する記憶手段と、
１オーダーに含まれる複数のカラー画像の全てを記録するために前記画像記録部よりも下流側に搬送する必要がある記録媒体の必要長さを算出する算出手段と、
前記記憶手段に記憶された最大長さと前記算出手段により算出された必要長さとを比較する比較手段と、
記録媒体の搬送方向が前記第１の方向から前記第２の方向に変更される前に、前記画像記録部よりも下流側に搬送される記録媒体の搬送長さを決定する決定手段とをさらに備えており、
前記決定手段は、前記比較手段において前記必要長さが前記最大長さ以下であるという比較結果が得られた場合に、前記搬送長さを前記必要長さに決定することを特徴とする請求項１〜４のいずれか１項に記載のプリンタ。
【請求項６】
前記決定手段は、前記比較手段において前記必要長さが前記最大長さよりも長いという比較結果が得られた場合に、前記搬送長さを前記最大長さに決定することを特徴とする請求項５に記載のプリンタ。
【請求項７】
前記画像記録部は、前記搬送機構による搬送経路に沿って直列に配置された複数の画像記録ヘッドを有しており、
前記複数の画像記録ヘッドは、前記搬送機構より搬送される記録媒体に接触しつつ画像を記録可能な画像記録位置及び前記搬送機構により搬送される記録媒体に接触しない待避位置を選択的にそれぞれ取り得るものであって、
前記複数の画像記録ヘッドの全てが、記録媒体が前記第１の方向に搬送されるときに前記待避位置に配置されることを特徴とする請求項１〜６のいずれか１項に記載のプリンタ。
【請求項８】
前記複数の画像形成ヘッドの全てが、前記画像記録部において画像の記録が開始される直前に同時に前記画像記録位置に配置されることを特徴とする請求項７に記載のプリンタ。
【請求項９】
前記搬送機構の搬送経路上のｉ＋１番目（ｉは、前記搬送機構の搬送経路上にある屈曲点の数をＮとしたときに、Ｎ−２以下の自然数）の屈曲点とｉ＋２番目の屈曲点とを結ぶ直線が、ｉ番目の屈曲点とｉ＋１番目の屈曲点とを結ぶ方向に対して、どのｉについても同じ方向に傾いていることを特徴とする請求項１〜８のいずれか１項に記載のプリンタ。
【請求項１０】
長尺の記録媒体を貯留した供給部から記録媒体にカラー画像を記録可能な画像記録部に向かう第１の方向に記録媒体を前記画像記録部に対向させつつ搬送する第１の搬送ステップと、
前記第１の搬送ステップにおいて記録媒体の先端が前記画像記録部から前記第１の方向に離れた位置に達するまで記録媒体が前記第１の方向に搬送された後に、前記第１の方向と反対方向である第２の方向に記録媒体を前記画像記録部に対向させつつ搬送する第２の搬送ステップと、
前記第２の搬送ステップにおいて前記第２の方向に搬送されている記録媒体に前記画像記録部によって複数のカラー画像を記録する画像記録ステップとを備えていることを特徴とするプリント方法。
【請求項１１】
前記第２の搬送ステップでは、前記供給部と前記画像記録部との間において記録媒体に搬送力が付与されることによって、記録媒体が前記第２の方向へ搬送されることを特徴とする請求項１０に記載のプリント方法。
【請求項１２】
前記第２の搬送ステップは、前記第１の搬送ステップにおいて記録媒体が前記画像記録部よりも下流側に搬送された後に開始されることを特徴とする請求項１０または１１に記載のプリント方法。
【請求項１３】
１オーダーに含まれる複数のカラー画像の全てを記録するために前記画像記録部よりも下流側に搬送する必要がある記録媒体の必要長さを算出する算出ステップと、
前記画像記録部よりも下流側に搬送可能な記録媒体の最大長さと、前記算出ステップにより算出された必要長さとを比較する比較ステップとをさらに備えており、
前記第２の搬送ステップでは、前記比較ステップにおいて前記必要長さが前記最大長さ以下であるという比較結果が得られた場合に、前記第１の搬送ステップにおいて前記必要長さの記録媒体が前記画像記録部よりも下流側に搬送された後で記録媒体が前記第２の方向へ搬送されることを特徴とする請求項１０〜１３のいずれか１項に記載のプリント方法。
【請求項１４】
前記第２の搬送ステップでは、前記比較ステップにおいて前記必要長さが前記最大長さよりも長いという比較結果が得られた場合に、前記第１の搬送ステップにおいて前記最大長さの記録媒体が前記画像記録部よりも下流側に搬送された後で記録媒体が前記第２の方向へ搬送されることを特徴とする請求項１３に記載のプリント方法。
【発明の詳細な説明】
【技術分野】
【０００１】
本発明は、カラー画像を記録媒体上に記録するプリンタ及びプリント方法に関するものである。
【背景技術】
【０００２】
カラー画像を記録媒体上に記録可能なプリンタについては、種々の技術が知られている。例えば、特許文献１には、イエロー、マゼンタ、シアンの各色をそれぞれ個別に記録可能な３つのサーマルヘッドを備えており、記録紙ロールから引き出された記録紙を給紙方向に搬送しながら３つのサーマルヘッドでカラー画像を記録する１パス方式のカラーサーマルプリンタが開示されている。
【０００３】
また、特許文献２には、３パス方式のカラーサーマルプリンタが開示されている。かかるプリンタでは、記録紙ロールから引き出された１コマ分の長さのカラー感熱記録紙が１つのサーマルヘッドに対向するように送り出された後で引き戻されながらイエロー画像が記録され、その後、記録紙の送り出しと引き戻しが交互に行われて、２回目の引き戻し時にマゼンタ画像の記録が行われ、３回目の引き戻し時にシアン画像の記録が行われる。
【０００４】
また、特許文献３には、イエロー、マゼンタ、シアンの３つのサーマルヘッドを備えており、記録紙ロールから引き出された記録紙を給紙方向に搬送して印画準備を完了した後に、記録紙を引き戻し方向に搬送しながら１コマのカラー画像を記録する１パス方式のカラーサーマルプリンタが開示されている。かかるプリンタでは、１コマのカラー画像が記録されると、記録紙は再び給紙方向に搬送されてカラー画像の後端部で切断される。そして、カラー画像が記録された記録紙は排紙されると共に、印画準備が完了した記録紙を引き戻し方向に搬送しながら次の１コマのカラー画像が記録される。
【特許文献１】特開平８−１７４８７６号公報
【特許文献２】特開平９−９９５７２号公報
【特許文献３】特開２００１−２４６７６９号公報
【発明の開示】
【発明が解決しようとする課題】
【０００５】
特許文献１に記載のプリンタでは、記録紙を往復搬送しなくても、記録紙を一方向に搬送するだけでカラー画像を記録することができる。しかしながら、かかるプリンタにおいて、３つのサーマルヘッドをそれらの印字位置に記録紙が到達したものから順に記録紙に圧接させた場合には、記録紙の搬送中の負荷変動に起因して画像が悪化することがある。従って、かかるプリンタでは、画像の悪化を防止するために、３つのサーマルヘッドの全てを記録紙に圧接させた後でカラー画像の記録が開始される。そのため、記録紙の先端近傍つまり記録紙の先端から給紙方向について最も上流側のサーマルヘッドと最も下流側のサーマルヘッドとの間の長さの部分が、両サーマルヘッド間に掛け渡された状態でカラー画像の記録が開始される。このため、記録紙の掛け渡された長さ部分は画像が形成されず、余白部となり無駄になるという問題がある。
【０００６】
一方、特許文献２及び特許文献３に記載のプリンタでは、記録紙の先端近傍に対してもカラー画像を記録することができるので、記録紙が無駄になるのを抑制することができる。ここで、特許文献３に記載のプリンタでは、記録紙が引き戻し方向に搬送されるときには３つのサーマルヘッドは全て記録紙に圧接されているので、記録紙の搬送中の負荷変動に起因して画像が悪化することはほとんどない。
【０００７】
しかしながら、特許文献２のプリンタでは、１コマのカラー画像を記録するために記録紙の送り出し及び引き戻しを３回繰り返す必要がある。また、特許文献３のプリンタでは、１コマのカラー画像ごとに、記録紙の送り出し及び引き戻しを１回行う必要がある。従って、これらのプリンタにおいて、複数コマのカラー画像を記録するためには、記録紙の往復搬送を数多く繰り返さなければならない。
【０００８】
ここで、特許文献２及び特許文献３のプリンタでは、記録紙ロールとサーマルヘッドとの間に搬送ローラ対が配置されており、この搬送ローラ対の駆動方向を切り換えることによって、記録紙の搬送方向が給紙方向及び引き戻し方向のいずれかに変更される。従って、複数のｍコマ（ｍは２以上の整数）のカラー画像を記録するためには、特許文献２のプリンタでは記録紙を３ｍ回往復搬送しなければならず、搬送ローラ対の駆動方向を（６ｍ−１）回だけ切り換える必要があり、特許文献３のプリンタでは記録紙をｍ回往復搬送しなければならず、搬送ローラ対の駆動方向を（２ｍ−１）回だけ切り換える必要がある。
【０００９】
このように、搬送ローラ対の駆動方向が切り換えられる場合、その切り換えに基づく時間的な搬送ロスが生じてしまう。従って、搬送ローラ対の駆動方向を切り換える回数が多くなれば、それに伴って時間的な搬送ロスも増加するので、プリンタの処理能力が低下することになる。
【００１０】
そこで、本発明の主な目的は、記録媒体の無駄及び記録媒体の搬送中の負荷変動に起因する画像悪化を防止しつつ、複数のカラー画像を記録する場合の処理能力を向上させることができるプリンタ及びプリント方法を提供することである。
【課題を解決するための手段および発明の効果】
【００１１】
本発明のプリンタは、記録媒体にカラー画像を記録可能な画像記録部と、長尺の記録媒体を貯留した供給部と、記録媒体を前記画像記録部に対向させつつ前記供給部から前記画像記録部に向かう第１の方向と、前記第１の方向と反対方向である第２の方向とに搬送可能な搬送機構と、記録媒体の先端が前記画像記録部から前記第１の方向に離れた位置に達するまで記録媒体が前記第１の方向に搬送された後に前記第２の方向に搬送されるように、前記搬送機構を制御する搬送制御手段と、前記搬送機構によって前記第２の方向に搬送されている記録媒体に前記画像記録部によって複数のカラー画像が記録されるように、前記画像記録部を制御する画像記録制御手段とを備えている。
【００１２】
本発明のプリント方法は、長尺の記録媒体を貯留した供給部から記録媒体にカラー画像を記録可能な画像記録部に向かう第１の方向に記録媒体を前記画像記録部に対向させつつ搬送する第１の搬送ステップと、前記第１の搬送ステップにおいて記録媒体の先端が前記画像記録部から前記第１の方向に離れた位置に達するまで記録媒体が前記第１の方向に搬送された後に、前記第１の方向と反対方向である第２の方向に記録媒体を前記画像記録部に対向させつつ搬送する第２の搬送ステップと、前記第２の搬送ステップにおいて前記第２の方向に搬送されている記録媒体に前記画像記録部によって複数のカラー画像を記録する画像記録ステップとを備えている。
【００１３】
なお、「記録媒体の先端が前記画像記録部から前記第１の方向に離れた位置に達する」とは、「記録媒体が供給部から画像記録部に向かう第１の方向に搬送されて、記録媒体の先端が画像記録部よりも下流側の位置に到達する」ことを意味している。また、本明細書において、「上流側」及び「下流側」とは、供給部から画像記録部に向かう第１の方向に関するものである。
【００１４】
この構成によると、供給部から画像記録部に向かう第１の方向に記録媒体を搬送した後で第２の方向に搬送される記録媒体に複数のカラー画像を記録することができる。そのため、記録媒体の先端近傍（第１の方向に搬送された後で第２の方向に逆送される記録媒体部分の先端からの領域）にカラー画像を記録可能であると共に、記録媒体の搬送中の負荷変動に起因して画像が悪化するのを抑制することができる。また、複数のカラー画像を記録媒体に記録する場合でも、記録媒体を１往復させるだけでよく、搬送機構における記録媒体の搬送方向を１回切り換えるだけでよいので、搬送方向の切り換えに基づく時間的な搬送ロスを低減できる。その結果、複数のカラー画像を記録媒体に記録する場合において、記録媒体の無駄及び記録媒体の搬送中の負荷変動に起因する画像悪化を防止しつつ、プリンタの処理能力を向上させることができる。
【００１５】
本発明のプリンタにおいて、前記搬送機構は、前記供給部と前記画像記録部との間において記録媒体に搬送力を付与することによって、記録媒体を前記第２の方向に搬送可能であってもよい。
【００１６】
本発明のプリント方法において、前記第２の搬送ステップでは、前記供給部と前記画像記録部との間において記録媒体に搬送力が付与されることによって、記録媒体が前記第２の方向へ搬送されてもよい。
【００１７】
この構成によると、第２の方向に搬送される記録媒体に複数のカラー画像が記録される際に、記録媒体の搬送中の負荷変動に起因して画像が悪化するのを効果的に抑制することができる。
【００１８】
本発明のプリンタにおいて、前記搬送制御手段は、記録媒体が前記画像記録部よりも下流側に搬送された後に前記第２の方向に搬送されるように、前記搬送機構を制御してもよい。
【００１９】
本発明のプリント方法において、前記第２の搬送ステップは、前記第１の搬送ステップにおいて記録媒体が前記画像記録部よりも下流側に搬送された後に開始されてもよい。
【００２０】
この構成によると、所望長さの記録媒体が画像記録部よりも下流側に搬送された後に、この所望長さの記録媒体に複数のカラー画像を記録することができる。
【００２１】
本発明のプリンタにおいて、前記搬送機構は、前記供給部と前記画像記録部との間において記録媒体を挟持しつつ回転して搬送力を付与可能な搬送ローラ対を有しており、前記搬送ローラ対と前記画像記録部との間において記録媒体の先端を検出可能な先端検出手段と、前記搬送ローラ対の回転数を検出可能な回転数検出手段と、前記先端検出手段により記録媒体の先端が検出された後に前記回転数検出手段により検出される回転数に基づいて、記録媒体の搬送方向が前記第１の方向から前記第２の方向に変更される前に、前記画像記録部よりも下流側に搬送された記録媒体の搬送長さを検知する検知手段とをさらに備えていてもよい。
【００２２】
この構成によると、第１の方向について先端検出手段による検出位置よりも下流側に搬送された記録媒体の搬送量に基づいて、第１の方向について画像記録部よりも下流側に搬送された記録媒体の搬送長さを検知することができる。従って、記録媒体の搬送方向が第１の方向から第２の方向に変更される前に、複数のカラー画像を記録するために必要な長さの記録媒体だけを第１の方向に搬送することができる。その結果、複数のカラー画像を記録するために必要のない余分な長さの記録媒体が第１の方向に搬送されることによって、プリンタの処理能力が低下するのを抑制することができる。
【００２３】
本発明のプリンタにおいて、前記画像記録部よりも下流側に搬送可能な記録媒体の最大長さを記憶する記憶手段と、１オーダーに含まれる複数のカラー画像の全てを記録するために前記画像記録部よりも下流側に搬送する必要がある記録媒体の必要長さを算出する算出手段と、前記記憶手段に記憶された最大長さと前記算出手段により算出された必要長さとを比較する比較手段と、記録媒体の搬送方向が前記第１の方向から前記第２の方向に変更される前に、前記画像記録部よりも下流側に搬送される記録媒体の搬送長さを決定する決定手段とをさらに備えており、前記決定手段は、前記比較手段において前記必要長さが前記最大長さ以下であるという比較結果が得られた場合に、前記搬送長さを前記必要長さに決定してもよい。
【００２４】
本発明のプリント方法において、１オーダーに含まれる複数のカラー画像の全てを記録するために前記画像記録部よりも下流側に搬送する必要がある記録媒体の必要長さを算出する算出ステップと、前記画像記録部よりも下流側に搬送可能な記録媒体の最大長さと、前記算出ステップにより算出された必要長さとを比較する比較ステップとをさらに備えており、前記第２の搬送ステップでは、前記比較ステップにおいて前記必要長さが前記最大長さ以下であるという比較結果が得られた場合に、前記第１の搬送ステップにおいて前記必要長さの記録媒体が前記画像記録部よりも下流側に搬送された後で記録媒体が前記第２の方向へ搬送されてもよい。
【００２５】
この構成によると、１オーダーに含まれる複数のカラー画像の全てを記録するために必要な長さの記録媒体を第１の方向について画像記録部よりも下流側に搬送可能な場合には、その長さの記録媒体を第１の方向について画像記録部よりも下流側に搬送することができる。従って、第２の方向に搬送される記録媒体に対して、１オーダーに含まれる複数のカラー画像の全てを連続して記録することが可能となる。
【００２６】
ここで、「１オーダー」とは、プリンタにおいて複数のカラー画像が記録される場合に１つのまとまりとして取り扱われる範囲を示すものである。例えば、プリンタにおいて、一人の顧客からの注文に対応する複数のカラー画像が１つのまとまりとして取り扱われるときには、この一人の顧客からの注文が１オーダーとなって、複数人の顧客からの注文に対応する複数のカラー画像が１つのまとまりとして取り扱われるときには、これらの複数人の顧客からの注文があわせて１オーダーとなる。なお、上述のように顧客ごとの注文の１または複数が１オーダーとなる場合の他、オペレータがプリンタに対して複数のカラー画像を記録する旨のプリント命令を供給する場合には、そのプリント命令が１オーダーとなる。従って、「１オーダーに含まれる複数のカラー画像」とは、上述のように顧客ごとの注文の１または複数が１オーダーとなる場合は、その１または複数の注文に含まれる複数のカラー画像を意味し、オペレータがプリンタに対して複数のカラー画像を記録する旨のプリント命令を供給する場合は、そのプリント命令に基づいて記録される複数のカラー画像を意味する。
【００２７】
本発明のプリンタにおいて、前記決定手段は、前記比較手段において前記必要長さが前記最大長さよりも長いという比較結果が得られた場合に、前記搬送長さを前記最大長さに決定してもよい。
【００２８】
本発明のプリント方法において、前記第２の搬送ステップでは、前記比較ステップにおいて前記必要長さが前記最大長さよりも長いという比較結果が得られた場合に、前記第１の搬送ステップにおいて前記最大長さの記録媒体が前記画像記録部よりも下流側に搬送された後で記録媒体が前記第２の方向へ搬送されてもよい。
【００２９】
この構成によると、１オーダーに含まれる複数のカラー画像の全てを記録するために必要な長さの記録媒体を第１の方向について画像記録部よりも下流側に搬送することができない場合には、１オーダーに含まれる複数のカラー画像の数に関係なく、第１の方向に搬送可能な長さの記録媒体を搬送することができる。従って、この場合には、第２の方向に搬送される記録媒体に対して、１オーダーに含まれる複数のカラー画像のなかの可能な限り多くのカラー画像を連続して記録することができる。
【００３０】
本発明のプリンタにおいて、前記画像記録部は、前記搬送機構による搬送経路に沿って直列に配置された複数の画像記録ヘッドを有しており、前記複数の画像記録ヘッドは、前記搬送機構より搬送される記録媒体に接触しつつ画像を記録可能な画像記録位置及び前記搬送機構により搬送される記録媒体に接触しない待避位置を選択的にそれぞれ取り得るものであって、前記複数の画像記録ヘッドの全てが、記録媒体が前記第１の方向に搬送されるときに前記待避位置に配置されてもよい。
【００３１】
この構成によると、複数の画像記録ヘッドの全てが記録媒体と接触しない状態で記録媒体が第１の方向に搬送されるので、記録媒体の先端が画像記録ヘッドに引っ掛かって適正に搬送されなくなったり（ジャムが発生したり）、画像記録ヘッドが接触することによって記録媒体が蛇行するのを抑制することができる。また、記録媒体が搬送されるのに伴って供給されるリボンを用いて画像記録部がカラー画像を記録する構成である場合に、カラー画像の記録が行われないで記録媒体が第１の方向に搬送されることによってリボンが無駄になるのを防止することができる。
【００３２】
本発明のプリンタにおいて、前記複数の画像形成ヘッドの全てが、前記画像記録部において画像の記録が開始される直前に同時に前記画像記録位置に配置されてもよい。
【００３３】
この構成によると、画像の記録が開始される直前に同時に複数の画像形成ヘッドの全てが記録媒体に接触するようになるので、１つの画像記録ヘッドによって画像を記録している間に、他の画像記録ヘッドが記録媒体に接触しない位置から接触する位置に移動することによる負荷変動、記録媒体の振動及び伸び等によって色ずれが生じるのを防止することができる。
【００３４】
本発明のプリンタにおいて、前記搬送機構の搬送経路上のｉ＋１番目（ｉは、前記搬送機構の搬送経路上にある屈曲点の数をＮとしたときに、Ｎ−２以下の自然数）の屈曲点とｉ＋２番目の屈曲点とを結ぶ直線が、ｉ番目の屈曲点とｉ＋１番目の屈曲点とを結ぶ方向に対して、どのｉについても同じ方向に傾いていてもよい。
【００３５】
この構成によると、搬送機構の搬送経路が一方向に湾曲しているので、例えば湾曲しない水平な搬送経路に沿って記録媒体が搬送される場合と比較して、プリンタの小型化が可能となる。
【発明を実施するための最良の形態】
【００３６】
以下、本発明の好適な実施の形態について、図面を参照しつつ説明する。図１は、本発明の実施の形態に係るプリンタの外観斜視図である。図２は、図１のプリンタのプリント部の概略構成を示す図である。図３は、図１のプリンタの主要部及びこれらが接続された制御装置についてのブロック図である。
【００３７】
図１に示す熱昇華方式のサーマルプリンタ１（以下、「プリンタ１」と称する）は、操作部１０と、制御装置２０と、プリント部３０とを有している。操作部１０は、オペレータがプリンタ１に対する操作を行うものであって、プリンタ１に関する様々な情報を表示してオペレータに告知するディスプレイ１１を有している。ここで、本実施の形態では、操作部１０にはタッチパネル方式が採用されており、ディスプレイ１０には様々なボタンを含む操作画面１２が表示される。従って、オペレータは、操作画面１２に触れることによってプリンタ１に対する操作を実行することができる。
【００３８】
制御装置２０は、操作部１０からの入力を受信すると共に、プリンタ１における各種の動作を制御するためのものである。また、制御装置２０は、カードスロットやディスクドライブなどの種々の記憶媒体からプリントデータを取得するための複数のデータ入力部２０ａを有している。なお、記憶媒体としては、例えばＣＤ−ＲＯＭ、メモリーカードなど、プリントデータを記憶可能なものであればどのようなものであってもよい。
【００３９】
ここで、操作部１０及び制御装置２０は、プリント部３０を収容する筐体３０ａの上面に固定配置されている。ここで、操作部１０のディスプレイ１１の表示面及び制御装置２０のデータ入力部２０ａの記憶媒体挿入面は、プリンタ１（筐体３０ａ）の正面（図１では左手前側の面）とほぼ一致している。従って、プリンタ１の正面に向かうオペレータにとって、ディスプレイ１１及びデータ入力部２１に対する操作が行い易くなっている。
【００４０】
また、筐体３０ａは、略直方体形状を有しており、その横幅（正面の幅）Ｄ１は奥行きＤ２よりも小さくなっている。従って、プリンタ１は、横幅の比較的狭い空間においても設置することが可能である。
【００４１】
プリント部３０は、図２に示すように、筐体３０ａ内に、ロール状に巻回された用紙を保持する用紙供給部４０と、用紙供給部４０から巻き解かれた用紙を巻き取る用紙巻取部８０と、用紙供給部４０と用紙巻取部８０との間で、一方向に湾曲した搬送経路に沿って用紙を搬送可能な搬送機構３８とを有している。また、用紙供給部４０と用紙巻取部８０との間には、搬送経路の上流側から下流側に向かって、切断部５０、オーバーコート部６０及び印字部７０が配置されている。また、用紙供給部４０と切断部５０との間の搬送経路近傍には、排出部９５が設けられている。
【００４２】
なお、本実施の形態では、「用紙の搬送方向（搬送方向）」とは、用紙供給部４０から用紙巻取部８０に向かう方向を意味するものとする。また、「用紙の先端部」及び「画像の先端部」とは、用紙または画像の搬送方向下流側の端部を意味するものとし、「用紙の後端部」及び「画像の後端部」とは、用紙または画像の搬送方向上流側の端部を意味するものとする。
【００４３】
用紙供給部４０は、搬送経路の最上流に設けられたマガジンケース４１を有しており、その中には、長尺の用紙がその印字面が外側になるように回転軸４３の周りに巻回された巻回部４５が装填されている。ここで、回転軸４３は、モータ４３ａ（図３参照）によって、用紙供給部４０から用紙が巻き解かれて搬送方向下流側に向かって搬送される場合には図２において反時計回りに回転駆動され、一旦巻き解かれた用紙が用紙供給部４０に巻き取られる場合には図２において時計回りに回転駆動される。
【００４４】
搬送機構３８は、搬送方向上流側から順に配置されている、用紙供給部４０の巻回部４５から巻き解かれた用紙を上方に向かって搬送可能な給紙ローラ対３１と、切断部５０よりも搬送方向上流側に配置されており上方に向かって搬送される用紙の搬送方向を変更するターンローラ対３２と、切断部５０とオーバーコート部６０との間において用紙を挟持可能な圧着ローラ対３３及び用紙を搬送可能な搬送ローラ対３４と、印字部７０よりも搬送方向下流側に配置されており印字部７０よりも搬送方向下流側に向かって搬送される用紙を用紙巻取部８０の内部に送り込むための送り込みローラ対３５とを有している。
【００４５】
ここで、給紙ローラ対３１、ターンローラ対３２、圧着ローラ対３３、搬送ローラ対３４及び送り込みローラ対３５は、所定半径を有する円周（図２では二点鎖線で描かれている）に沿うように配置されている。なお、図２から分かるように、オーバーコート部６０及び印字部７０のヘッド部６１、７１〜７３も上記円周に沿うように配置されていると共に、用紙供給部４０及び用紙巻取部８０は上記円周の内部に配置されている。
【００４６】
給紙ローラ対３１、搬送ローラ対３４及び送り込みローラ対３５は、搬送制御部２７ａ（図３参照）によって制御されるモータ３１ａ、３４ａ、３５ａ（図３参照）にそれぞれ接続されている。従って、給紙ローラ対３１、搬送ローラ対３４及び送り込みローラ対３５は、搬送制御部２７ａによってモータ３１ａ、３４ａ、３５ａが個別に制御されることによって、用紙供給部４０から巻き解かれた用紙を搬送方向下流側に向かって搬送して用紙巻取部８０に巻き取り可能であると共に、用紙巻取部８０内に一旦巻き取られた用紙を再度巻き解きつつ、用紙巻取部８０から巻き解かれた用紙を搬送方向上流側に向かって逆送させることができる。
【００４７】
また、プリント部３０は、搬送ローラ対３４の回転数（パルス数）を検出可能なエンコーダ３６を有している。ここで、後述するように、搬送ローラ対３４は、用紙を搬送するためにモータ３４ａにより駆動されて回転する状態と、送り込みローラ対３５により搬送される用紙に伴って従動回転する状態とを取り得る。エンコーダ３６は、搬送ローラ３４が上記のいずれの状態である場合でも、搬送ローラ対３４の回転数を検出することができる。
【００４８】
切断部５０は、ターンローラ対３２と圧着ローラ対３３との間に配置されている。切断部５０は、搬送経路よりも上方に配置されたローリングカッタ５１と、搬送経路よりも下方に配置された固定刃５２と、切りくずボックス５３とを有している。
【００４９】
ローリングカッタ５１は、円板形状を有しており、その円周部には全周にわたって刃が形成されている。そして、ローリングカッタ５１は、その中心部がシャフト５１ａで保持されている。ローリングカッタ５１は、シャフト５１ａを介して、切断制御部２７ｃによって制御される駆動機構５５（図３参照）に接続されている。駆動機構５５は、シャフト５１ａを介して、ローリングカッタ５１を回転駆動する共に、用紙の搬送経路を直交する方向に沿って（図２では紙面に直交する方向に沿って）往動または復動させる。一方、固定刃５２は、用紙の搬送経路に直交するように配置されており、用紙の搬送経路の全幅よりも長い矩形刃である。
【００５０】
従って、切断部５０による切断位置に用紙が配置された状態において、切断制御部２７ｃが駆動機構５５を制御して、ローリングカッタ５１を回転させつつ用紙の幅方向に沿って移動させると、ローリングカッタ５１と固定刃５２との相互作用によって用紙が切断される。なお、本実施の形態のプリンタ１では、後述するように切断部５０は各画像の先端部及び後端部において用紙を切断する。
【００５１】
また、切りくずボックス５３は、ローリングカッタ５１及び固定刃５２の下方に配置されている。従って、各画像の先端部または後端部において用紙が切断されて各画像間の余白部が切断されると、その余白部は切りくずボックス５３内に収納される。
【００５２】
オーバーコート部６０は、搬送ローラ対３４の搬送方向下流側に配置されている。オーバーコート部６０は、１つのヘッド部６１を有している。ヘッド部６１は、画像が印字された用紙の表面に対して無色透明なオーバーコート（ＯＣ）を行うためのものである。このように、用紙の表面に対してオーバーコートを行うことによって、用紙上に印字された画像の耐光性が向上すると共に、用紙表面を保護することができる。また、オーバーコートの材質を選ぶことで、プリントの光沢性が向上し、高品質のプリントを提供することができる。
【００５３】
また、印字部７０は、オーバーコート部６０と送り込みローラ対３５との間に配置されている。印字部７０は、３つのヘッド部７１〜７３を有している。ヘッド部７１〜７３は、それぞれシアン（Ｃ）、マゼンタ（Ｍ）、イエロー（Ｙ）に対応する印字を行うためのものである。ここで、プリンタ１では、搬送方向上流側から搬送方向下流側に向かって、シアンに対応するヘッド部７１、マゼンタに対応するヘッド部７２、イエローに対応するヘッド部７３の順に設けられている。なお、プリンタ１では、オーバーコート部６０及び印字部７０の搬送方向上流側に搬送ローラ対３４が配置されており、それらの搬送方向下流側に送り込みローラ対３５が配置されていることになる。
【００５４】
そして、本実施の形態のプリンタ１では、用紙供給部４０から巻き解かれた用紙が搬送方向下流側に向かって搬送されるときはオーバーコート部６０でのオーバーコート及び印字部７０でのカラー画像の印字は行われないで、印字部７０よりも搬送方向下流側に配置された用紙巻取部８０に一旦巻き取られた用紙が搬送方向上流側に向かって逆送されるときに印字部７０での画像の印字及びオーバーコート部６０でのオーバーコートが行われる。従って、プリンタ１では、用紙表面に対して、イエロー、マゼンタ、シアンの順にカラー画像の印字が可能であると共に、さらに、カラー画像が印字された用紙表面に対してオーバーコートを行うことができる。
【００５５】
次に、ヘッド部６１、７１〜７３の概略構成について説明する。なお、ヘッド部６１、７１〜７３の構成はいずれも同様であるので、ここではヘッド部７３についてのみ詳細に説明する。
【００５６】
ヘッド部７３は、用紙の搬送経路の全幅にわたって配置された多数の発熱素子（図示しない）を有するサーマルヘッド７３ａと、サーマルヘッド７３ａの先端部（用紙の搬送経路近傍であって発熱素子が配置された端部）に対向するプラテンローラ７３ｂと、イエローに対応するインクが付着したインク領域を有するテープ状のリボン７３ｃと、印字前のリボン７３ｃが巻回されたリボン供給ローラ７３ｄと、印字後のリボン７３ｃを巻き取るリボン巻取ローラ７３ｅとを有している。
【００５７】
ここで、サーマルヘッド７３ａは、昇降機構７３ｆ（図３参照）によって、用紙の搬送経路に対して進退可能になっている。従って、サーマルヘッド７３ａは、その先端部近傍とプラテンローラ７３ｂとの間で、リボン７３ｃ及び用紙を圧接するプリント位置と圧接しない待避位置とを選択的に取り得る。
【００５８】
そして、ヘッド部７３では、サーマルヘッド７３ａがプリント位置に配置されている状態で、サーマルヘッド７３ａとプラテンローラ７３ｂとの間を用紙が搬送されると、サーマルヘッド７３ａにより加熱されたリボン７３ｃのインクによって用紙上にイエローに対応するカラー画像を印字することができる。なお、このとき、サーマルヘッド７３ａとプラテンローラ７３ｂとの間を用紙が搬送される際には、用紙が搬送されるのに伴ってリボン７３ｃもリボン供給ローラ７３ｄからリボン巻取ローラ７３ｅに向かって送られる。
【００５９】
なお、ヘッド部６１及びヘッド部７１、７２は、ヘッド部７３と同様に、サーマルヘッド６１ａ、７１ａ、７２ａと、プラテンローラ６１ｂ、７１ｂ、７２ｂと、リボン６１ｃ、７１ｃ、７２ｃと、リボン供給ローラ６１ｄ、７１ｄ、７２ｄと、リボン巻取ローラ６１ｅ、７１ｅ、７２ｅと、昇降機構６１ｆ、７１ｆ、７２ｆとをそれぞれ備えている。
【００６０】
なお、ヘッド部６１及びヘッド部７１、７２では、ヘッド部７３のイエローに対応するインクが付着したインク領域を有するテープ状のリボン７３ｃの代わりに、無色透明、シアン、マゼンタにそれぞれ対応するインクが付着したインク領域を有するテープ状のリボン６１ｃ、７１ｃ、７２ｃが用いられている。
【００６１】
また、オーバーコート部６０のヘッド部６１及び印字部７０の各ヘッド部７１〜７３間には、一対のガイド７５ａ〜７５ｃがそれぞれ配置されている。一対のガイド７５ａ〜７５ｃは、いずれも２枚の板状部材を含んでおり、ヘッド部６１、７１〜７３間をそれぞれ搬送される用紙（主に用紙の先端部）を案内するためのものである。従って、一対のガイド７５ａ〜７５ｃは、用紙の搬送経路を挟んで所定間隔を隔てて対向するように配置されている。
【００６２】
用紙巻取部８０は、搬送経路の最下流に設けられた格納ケース８１を有している。格納ケース８１は、略円筒形状を有しており、その一部が用紙の挿入口８２として開口している。本実施の形態では、図２に示すように、挿入口８２となる部分の中心角は約９０度であって、その一方の縁部８２ａは格納ケース８１の左端部近傍にあって、他方の縁部８２ｂは格納ケース８１の上端部近傍にある。
【００６３】
ここで、送り込みローラ対３５は、格納ケース８１の縁部８２ａの上方近傍に配置されており、送り込みローラ対３５によって下方に搬送された用紙は挿入口８２の端部８２ａ近傍から格納ケース８１内に挿入される。そして、用紙巻取部８０に挿入された用紙は、格納ケース８１の内周面に当接することによって案内される。その結果、格納ケース８１内では、用紙が有する巻き癖にしたがって、その印字面が外側面になるように用紙の先端部から順に巻き取られる。また、格納ケース８１には、４つの巻き取りローラ８３ａ〜８３ｄが回転自在に設けられている。そして、各巻き取りローラ８３ａ〜８３ｄの一部が格納ケース８１の内周面よりも内側に突出している。従って、用紙が格納ケース８１の内周面に当接する際の摩擦力が軽減されるので、用紙に傷が付くのが抑制される。
【００６４】
排出部９５は、印字部７０における画像の印字及びオーバーコート部６０におけるオーバーコートが行われた後、さらに切断部５０によって切断された各カラー画像が印字された用紙（プリント）を排出するためのものである。排出部９５は、印字済みの用紙を収納するプリントボックス９６を有している。プリントボックス９６は、上端部が開口された箱状の部材であって、その下端部において支持軸９７によって回動可能に支持されている。従って、プリントボックス９６は、筐体３０ａ内に収納された状態（図２で実線で示す状態）と、筐体３０ａの正面（図２では右面）から上端部近傍が引き出された状態（図２で破線で示す状態）とを取り得る。よって、オペレータは、プリントボックス９６の上端部をプリンタ１（筐体３０ａ）の正面から外部に引き出すことによって、各カラー画像が印字された用紙を容易に取り出すことができる。
【００６５】
なお、排出部９５の上端部近傍には、ターンローラ対３２よりも搬送方向上流側の搬送経路に近接するように振り分け機構（図示しない）が設けられている。この振り分け機構は、用紙が用紙供給部４０に巻き取られる場合と、各カラー画像が印字された用紙がプリントボックス９６に排出される場合とで、用紙が搬送方向上流側に向かって逆送される際の用紙の搬送経路を切り換えることができる。従って、振り分け機構を制御することによって、各カラー画像が印字された用紙だけをプリントボックス９６内に収納することができる。
【００６６】
また、切断部５０よりも搬送方向上流側には、搬送経路に沿って搬送される用紙上に印字された画像の端部（主に画像の後端部）を検出可能な画像検出センサ９０が設けられている。一方、オーバーコート部６０よりも搬送方向上流側には、用紙の端部を検出可能な用紙検出センサ９１が設けられている。なお、本実施の形態では、オーバーコート部６０の搬送方向上流側の端部と用紙検出センサ９１による検出位置とはほぼ一致している。
【００６７】
制御装置２０には、図３に示すように、用紙供給部４０の回転軸４３を駆動するモータ４３ａと、給紙ローラ対３１、搬送ローラ対３４及び送り込みローラ対３５をそれぞれ駆動するモータ３１ａ、３４ａ、３５ａと、搬送ローラ対３４の回転数を検出するエンコーダ３６と、切断部５０のローリングカッタ５１の駆動機構５５と、オーバーコート部６０及び印字部７０のサーマルヘッド６１ａ、７１ａ〜７３ａの昇降機構６１ｆ、７１ｆ〜７３ｆ及びドライバ６１ｇ、７１ｇ〜７３ｇと、画像検出センサ９０と、用紙検出センサ９１と、操作部１０とがそれぞれ接続されている。
【００６８】
また、制御装置２０は、適切なソフトウェアにより制御されるＣＰＵやＲＯＭ、ＲＡＭなどのハードウェアを備えており、最大巻取量記憶部２１と、プリント情報記憶部２２と、必要巻取量算出部２３と、比較部２４と、巻取量決定部２５と、搬送量検知部２６と、搬送制御部２７ａと、印字制御部２７ｂと、切断制御部２７ｃとを有している。
【００６９】
最大巻取量記憶部２１は、用紙供給部４０から用紙巻取部８０に向かって用紙が搬送される場合に、印字部７０よりも搬送方向下流側に搬送可能な用紙の最大長さを最大巻取量として記憶する。この最大巻取量は、印字部７０の搬送方向について最も下流側に配置されたヘッド部７３による印字位置と用紙巻取部８０の挿入口８２との間の搬送経路の長さと、用紙巻取部８０の格納ケース８１内に巻き取り可能な用紙の長さとを足し合わせることによって算出される値である。なお、最大巻取量は、オペレータによって最大巻取量記憶部２１に対して入力される。
【００７０】
ここで、最大巻取量は、主として格納ケース８１の大きさによって大きく変化する。なお、格納ケース８１内に巻き取り可能な用紙の長さは、実際に格納ケース８１内に収容可能な用紙の最大長さであってもよいし、格納ケース８１内に収容可能な用紙の最大長さより短くてもよく、任意に設定可能である。そこで、本実施の形態では、最大巻取量が算出される際に用いられる格納ケース８１内に巻き取り可能な用紙の長さは、格納ケース８１内において用紙が破損したり傷が付いたりしない範囲の長さであって、格納ケース８１内に収容可能な用紙の最大長さよりは短い長さが設定されている。
【００７１】
プリント情報記憶部２２は、カラー画像が印字される際の種々の設定値を記憶する。ここで、設定値としては、プリント種類毎の１コマのプリント長さ（搬送方向長さ）、プリント枚数（コマ数）、隣り合う画像間に形成される余白部の長さ、ヘッド放熱用の追加長さなどが含まれる。プリント種類毎の１コマのプリント長さは、例えば標準サイズ、パノラマサイズなどの複数のプリントの種類毎に複数の値が記憶されている。プリント枚数は、プリント開始前に、オペレータによってオーダー毎に入力される値が記憶される。また、画像間の余白部の長さ及びヘッド放熱用の追加長さは、プリント開始前に、オペレータによって入力される値が記憶される。
【００７２】
必要巻取量算出部２３は、１オーダーに含まれる複数のカラー画像の全てを印字するために必要な用紙の長さを必要巻取量として算出する。つまり、１オーダーに含まれる複数のカラー画像の全てを印字するためには、印字部７０でのカラー画像の印字を開始する前に、これらのカラー画像を印字可能な長さの用紙を印字部７０よりも搬送方向下流側に搬送しておく必要がある。従って、用紙供給部４０から用紙巻取部８０に向かって用紙が搬送される場合に、１オーダーに含まれる複数のカラー画像の全てを印字するために、印字部７０のヘッド部７３による印字位置を超えて搬送されるべき用紙の長さが必要巻取量として算出される。
【００７３】
ここで、必要巻取量について、図４を参照して説明する。図４は、１オーダーに含まれる複数のカラー画像が用紙の先端部近傍に印字されるときの様子を示す図である。なお、図４では、１オーダーには同じプリント種類の画像が６個含まれる場合について図示している。図４に示すように、用紙の先端（図４では左端部）近傍にヘッド放熱用の追加長さｚに対応する領域が設けられ、そこから上流側（図４では右方）に向かって、プリント長さｘに対応する領域と余白部長さｙに対応する領域がプリント枚数ｎだけ交互に設けられる。
【００７４】
従って、必要巻取量算出部２３では、プリント開始前に、オペレータによって、１オーダーに含まれるカラー画像のプリント種類及びプリント枚数が入力されると、プリント情報記憶部２２に記憶された各値に基づいて、１オーダーに対応する必要巻取量Ｌが下記の式によって算出される。
Ｌ＝ｚ＋ｘ×ｎ＋ｙ×（ｎ−１）
【００７５】
比較部２４は、必要巻取量算出部２３で算出された必要巻取量と最大巻取量記憶部２１に記憶された最大巻取量とを比較する。そして、比較部２４は、必要巻取量と最大巻取量との間の大小関係についての比較結果を得る。
【００７６】
巻取量決定部２５は、用紙の搬送方向が搬送方向下流側に向かう方向から搬送方向上流側に向かう方向に変更される前に、実際に印字部７０よりも搬送方向下流側に搬送される用紙の長さ（実際の巻取量）、すなわち、実際に印字部７０のヘッド部７３に対向する位置を超えて搬送される用紙の長さを決定する。ここで、巻取量決定部２５は、比較部２４による比較結果に基づいて巻取量を決定する。つまり、巻取量決定部２５は、比較部２４において必要巻取量が最大巻取量以下であるという比較結果が得られた場合は、実際の巻取量を必要巻取量に決定し、一方、比較部２４において必要巻取量が最大巻取量より長いという比較結果が得られた場合は、実際の巻取量を最大巻取量に決定する。
【００７７】
搬送量検知部２６は、用紙検出センサ９１によって用紙の先端が検出された後にエンコーダ３６により検出される搬送ローラ対３４の回転数に基づいて、用紙の搬送量を検知する。つまり、搬送量検知部２６は、用紙検出センサ９１による検出位置よりも搬送方向下流側に搬送された用紙の長さを検知する。その結果、搬送量検知部２６は、用紙の搬送方向が搬送方向下流側に向かう方向から搬送方向上流側に向かう方向に変更される前に、印字部７０よりも搬送方向下流側に搬送された用紙の長さを検知することができる。ここで、用紙の先端部が送り込みローラ対３５に到達した後は、搬送ローラ対３４による搬送力ではなく送り込みローラ対３５による搬送力によって用紙が搬送されるようになるが、この場合でも、搬送量検知部２６では、常に搬送ローラ対３４の回転数に基づいて用紙の搬送量が検知される。
【００７８】
なお、搬送量検知部２６は、用紙が搬送方向下流側に向かって搬送される場合だけでなく、用紙が搬送方向上流側に向かって搬送される場合にも、用紙の搬送量を検知することができる。従って、用紙の搬送方向が搬送方向下流に向かう方向から搬送方向上流に向かう方向に変更された場合には、搬送方向が変更される前の搬送方向下流側への搬送量から、搬送方向が変更された後の搬送方向上流側への搬送量を差し引くことによって、用紙の先端位置を検知することができる。
【００７９】
搬送制御部２７ａは、回転軸４３、給紙ローラ対３１、搬送ローラ対３４及び送り込みローラ対３５を駆動するモータ４３ａ、３１ａ、３４ａ、３５ａを制御することによって、用紙を用紙供給部４０から用紙巻取部８０に向かって搬送すると共に、用紙を用紙巻取部８０から用紙供給部４０に向かって逆送させる。印字制御部２７ｂは、オーバーコート部６０のサーマルヘッド６１ａ及び印字部７０のサーマルヘッド７１ａ〜７３ａの昇降タイミング及び印字タイミングを制御する。切断制御部２７ｃは、切断部５０での切断タイミングを制御する。
【００８０】
次に、プリンタ１において、画像の印字が行われる際の動作について、図５を参照して説明する。図５は、プリンタ１での動作手順を示すフローチャートである。
【００８１】
まず、用紙供給部４０に装填された用紙の巻回部４５から回転軸４３が回転駆動されることによって巻き解かれた用紙の先端部が、給紙ローラ対３１による搬送力を主動として搬送される（ステップＳ１０１）。そして、用紙の先端部が搬送ローラ対３４を通過して用紙検出センサ９１に到達するまで給紙ローラ対３１による搬送が継続される（ステップＳ１０２）。ここで、用紙検出センサ９１により用紙の先端部が検出されると、用紙検出センサ９１から制御装置２０に対して用紙の先端部を検出した旨の検出信号が送信される。
【００８２】
このようにして、用紙の先端部が用紙検出センサ９１に到達した時点で、用紙の搬送が停止されて待機状態になる（ステップＳ１０３）。このとき、サーマルヘッド６１ａ、７１ａ〜７３ａがプリント位置に配置されている場合は、サーマルヘッド６１ａ、７１ａ〜７３ａが待避位置に移動させられる（ステップＳ１０４）。
【００８３】
その後、オペレータからの注文（オーダー）の受付があって、１オーダーに含まれるカラー画像のプリント種類及びプリント枚数が入力されると（ステップＳ１０５）、用紙の搬送を開始する準備として、プリント情報記憶部２２に記憶された情報に基づいて、その１オーダーに対応する必要巻取量が必要巻取量算出部２３によって算出される（ステップＳ１０６）。すると、比較部２４によって、この必要巻取量と最大巻取量記憶部２１に記憶された最大巻取量とが比較される（ステップＳ１０７）。その比較結果に基づいて、巻取量決定部２５によって、実際の巻取量が決定される（ステップＳ１０８）。このようにして、用紙の搬送準備が終了した後で、搬送ローラ対３４による搬送力を主動として用紙が搬送される（ステップＳ１０９）。なお、このとき、用紙供給部４０の回転軸４３及び給紙ローラ対３１はいずれも回転自在になっている。
【００８４】
その後、サーマルヘッド６１ａ、７１ａ〜７３ａが待避位置に配置された状態において、用紙の先端部が、オーバーコート部６０及び印字部７０をオーバーコート及び画像の印字が行われないまま通過して送り込みローラ対３５に到達するまで、搬送ローラ対３４による搬送力を主動とする搬送が継続される（ステップＳ１１０）。そして、用紙の先端部が送り込みローラ対３５に到達して挟持されるようになると、それ以後は送り込みローラ対３５による搬送力を主動として用紙が搬送されて、用紙の先端部から用紙巻取部８０の格納ケース８１内に順次送り込まれる（ステップＳ１１１）。このとき、用紙が格納ケース８１内に送り込まれるにつれて、用紙の先端部が格納ケース８１の内周面及び巻き取りローラ８３ａ〜８３ｄに案内されて、格納ケース８１内において、用紙がその巻き癖にしたがって巻き取られる。なお、用紙の先端部が送り込みローラ対３５に到達して主動が切り換えられた時点で、搬送ローラ対３４は、用紙に搬送力を付与する状態から送り込みローラ対３５により搬送される用紙に伴って従動回転する状態に切り換えられる。
【００８５】
その後、巻取量決定部２５で決定された巻取量の長さの用紙が、ヘッド部７３による印字位置よりも搬送方向下流側に搬送された時点で、用紙の巻き取りが終了して、用紙供給部４０から用紙巻取部８０に向かって用紙が搬送されるのが停止される（ステップＳ１１２）。つまり、搬送量検知部２６において、用紙検出センサ９１によって用紙の先端部が検出された後にエンコーダ３６により検出される搬送ローラ対３４の回転数に基づいて検知される用紙の搬送量が、巻取量決定部２５で決定された巻取量と、オーバーコート部６０及び印字部７０における搬送経路の長さとを足し合わせた長さに一致した時点で、搬送制御部２７ａは用紙の巻き取りを終了し、用紙の搬送方向下流側への搬送を停止する。なお、このとき、ヘッド部７３による印字位置には、巻取量の長さの用紙の最も搬送方向上流側に印字される画像の後端部が配置されている。
【００８６】
そして、オーバーコート部６０のサーマルヘッド６１ａ及び印字部７０のサーマルヘッド７１ａ〜７３ａが待避位置からプリント位置に同時に移動させられる（ステップＳ１１３）。その後、搬送ローラ対３４による搬送力を主動として用紙が搬送方向上流側に向かって逆送される（ステップＳ１１４）。従って、このとき、従動回転する状態であった搬送ローラ対３４は、用紙を搬送方向上流側に向かって搬送する方向に回転駆動されると共に、送り込みローラ対３５は従動回転するようになる。また、用紙供給部４０の回転軸４３はマガジンケース４１内に用紙を巻き戻す方向に回転駆動される。
【００８７】
そして、用紙が搬送方向上流側に向かって逆送されながら、１オーダーに含まれる各カラー画像について、ヘッド部７３によってイエローに対応する印字、ヘッド部７２によってマゼンタに対応する印字、ヘッド部７１によってシアンに対応する印字が順次行われる。このようにして、各カラー画像について、イエロー、マゼンタ、シアンの順に印字が行われることによってカラー画像が完成する（ステップＳ１１５）。その後、引き続き、ヘッド部６１によって、カラー画像が印字された用紙の表面に対してオーバーコートが行われる（ステップＳ１１６）。
【００８８】
なお、本実施の形態では、１オーダーに含まれる複数のカラー画像は各画像間に所定幅の余白部が形成されるように断続的に印字される。つまり、上述したように、用紙には、用紙の先端部近傍にヘッド放熱用の追加長さに対応する領域が配置された後、画像領域と余白部とが交互に配置される。そして、印字部７０では、３つのヘッド部７１〜７３のうちの少なくとも２つに対向する位置に同じタイミングで画像領域がある場合には、それらのヘッド部によって同時に印字が行われる。また、オーバーコート部６０でのオーバーコートは、印字部７０でのカラー画像の印字と並行して行われる。このようにして、印字部７０及びオーバーコート部６０では、巻取量決定部２５により決定された巻取量の長さの用紙または最大巻取量の長さの用紙に対して印字可能な複数のカラー画像についての印字及びオーバーコートが行われる。
【００８９】
最も搬送方向上流側に印字されたカラー画像の後端部（巻取量決定部２５で決定された巻取量の長さの用紙の後端部と一致している）が、切断部５０による切断位置に到達すると、そのカラー画像の後端部で用紙が切断される（ステップＳ１１７）。なお、カラー画像の後端部が切断部５０による切断位置に到達するタイミングは、搬送量検知部２６によって検知される搬送量に基づいて検知される。このように用紙が切断された後、最も搬送方向上流側のカラー画像よりも上流側の画像が形成されなかった用紙（巻取量決定部２５で決定された巻取量の長さの用紙の後端部よりも搬送方向上流側の用紙）は、用紙供給部４０に巻き戻される。
【００９０】
引き続き、用紙が逆送されて、最も搬送方向上流側の画像の後端部が画像検出センサ９０による検出位置に到達すると、画像検出センサ９０から制御装置２０に対して画像の後端部を検出した旨の検出信号が送信される（ステップＳ１１８）。すると、搬送量検知部２６は、画像検出センサ９０によって画像の後端部が検出された後に、エンコーダ３６により検出される搬送ローラ対３４の回転数に基づいて、カラー画像の先端部が切断部５０による切断位置に到達したことを検知する。このとき、用紙の逆送が停止され、カラー画像の先端部で用紙が切断される（ステップＳ１１９）。
【００９１】
このように、カラー画像の先端部での用紙の切断が行われる度に、切断された用紙に印字されたカラー画像が用紙の先端部に最も近接して印字された最終画像であるか否かが判断される（ステップＳ１２０）。ここで、最終画像でないと判断されると、再び用紙が逆送される。そして、搬送量検知部２６は、カラー画像の先端部での用紙の切断が行われた後、エンコーダ３６により検出される搬送ローラ対３４の回転数に基づいて、ステップＳ１１９で先端部が切断されたカラー画像に搬送方向下流側において隣接するカラー画像の後端部が、切断部５０による切断位置に到達したことを検知する。このとき、用紙の逆送が停止され、そのカラー画像の後端部で用紙が切断される（ステップＳ１２１）。その後、ステップＳ１１８に戻って、上述と同様の処理が繰り返される。
【００９２】
一方、最終画像であると判断されると、１オーダーに含まれるカラー画像の全ての印字が終了したか否かが判断される（ステップＳ１２２）。ここで、１オーダーに含まれるカラー画像の全ての印字が終了していないと判断されると、ステップＳ１０６に戻って、上述と同様の処理が繰り返される。一方、１オーダーに含まれるカラー画像の全ての印字が終了したと判断されると、処理が終了する。
【００９３】
なお、ステップＳ１２２で、１オーダーに含まれるカラー画像の全ての印字が終了していないと判断される場合とは、例えば比較部２４において必要巻取量が最大巻取量より長いと判断されて、巻取量決定部２５が最大巻取量を最終的な巻取量として決定した場合である。つまり、この場合には、１オーダーに含まれるカラー画像のなかで最大巻取量の長さの用紙に印字することができなかった残りのカラー画像の印字が引き続き行われる。このようにして、１オーダーに含まれるカラー画像の全ての印字が終了するまで、上述と同様の処理が繰り返される。
【００９４】
以上のように、本実施の形態のプリンタ１では、用紙供給部４０から用紙巻取部８０に向かう方向に用紙を搬送した後で、オーバーコート部６０及び印字部７０よりも搬送方向上流側に配置された搬送ローラ対３４による搬送力によって搬送方向上流側に向かって逆送される用紙に複数のカラー画像を印字することができる。そのため、搬送後逆送される用紙部分の先端からの領域にカラー画像を印字可能であると共に、用紙の搬送中の負荷変動に起因して画像が悪化するのを抑制できる。また、複数のカラー画像を用紙に印字する場合でも、用紙を１往復させるだけでよく、搬送機構３８における用紙の搬送方向を１回切り換えるだけでよいので、搬送方向の切り換えに基づく時間的な搬送ロスを低減できる。その結果、複数のカラー画像を用紙に印字する場合において、用紙の無駄及び用紙の搬送中の負荷変動に起因する画像悪化を防止しつつ、プリンタ１の処理能力を向上させることができる。
【００９５】
また、用紙検出センサ９１による検出位置よりも搬送方向下流側に搬送された用紙の搬送量に基づいて、印字部７０よりも搬送方向下流側に搬送された用紙の長さを検知することができる。従って、用紙の搬送方向が搬送方向下流側に向かう方向から搬送方向上流側に向かう方向に変更される前に、複数のカラー画像を印字するために必要な長さの用紙だけを搬送方向下流側に向かって搬送することができる。その結果、複数のカラー画像を印字するために必要のない余分な長さの用紙が搬送方向下流側に向かって搬送されることによって、プリンタ１の処理能力が低下するのを抑制することができる。
【００９６】
また、１オーダーに含まれる複数のカラー画像の全てを印字するために必要な必要巻取量の長さの用紙を印字部７０よりも搬送方向下流側に搬送可能な場合には、その必要巻取量の長さの用紙をヘッド部７３による印字位置よりも搬送方向下流側に搬送することができる。従って、搬送方向上流側に向かって逆送される用紙に対して、１オーダーに含まれる複数のカラー画像の全てを連続して印字することが可能となる。
【００９７】
また、１オーダーに含まれる複数のカラー画像の全てを印字するために必要な必要巻取量の長さの用紙を印字部７０よりも搬送方向下流側に搬送することができない場合には、１オーダーに含まれる複数のカラー画像の数に関係なく、最大巻取量の長さの用紙をヘッド部７３による印字位置よりも搬送方向下流側に搬送することができる。従って、この場合には、搬送方向上流側に向かって逆送される用紙に対して、１オーダーに含まれる複数のカラー画像のなかの可能な限り多くのカラー画像を連続して記録することができる。
【００９８】
また、サーマルヘッド６１ａ、７１ａ〜７３ａの全てが待避位置に配置された状態で用紙が搬送方向下流側に向かって搬送されるので、用紙の先端部がサーマルヘッド６１ａ、７１ａ〜７３ａに引っ掛かって適正に搬送されなくなったり（ジャムが発生したり）、サーマルヘッド６１ａ、７１ａ〜７３ａが接触することによって用紙が蛇行するのを抑制することができる。また、カラー画像の記録が行われないで用紙が搬送方向下流側に搬送されることによってリボン６１ｃ、７１ｃ〜７３ｃが無駄になるのを防止することができる。
【００９９】
また、サーマルヘッド６１ａ、７１ａ〜７３ａの全てが画像の印字が開始される直前に同時にプリント位置に配置されるので、１つのサーマルヘッドによって画像を印字している間に、他のサーマルヘッドが待避位置からプリント位置に移動することによる負荷変動、用紙の振動及び伸び等によって色ずれが生じるのを防止することができる。
【０１００】
また、搬送機構３８による搬送経路が位置方向に湾曲しているので、例えば湾曲しない水平な搬送経路に沿って用紙が搬送される場合と比較して、プリンタ１の小型化が可能となる。また、この場合には、本実施の形態のように、サーマルヘッド６１ａ、７１ａ〜７３ａの先端よりも広がった形状を有するヘッド部６１、７１〜７３の場合でも、サーマルヘッド６１ａ、７１ａ〜７３ａを互いに近接するように配置することができる。従って、各サーマルヘッド６１ａ、７１ａ〜７３ａ間の搬送量が短くなって、オーバーコート部６０及び印字部７０における搬送距離が短くなる。そのため、各サーマルヘッド６１ａ、７１ａ〜７３ａ間での用紙の蛇行量が小さくなり、用紙の搬送精度が向上すると共に、印字部７０における各色の印字位置合わせが容易になる。
【０１０１】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、オーバーコート部６０及び印字部７０よりも搬送方向上流側に配置された搬送ローラ対３４による搬送力によって搬送方向上流側に向かって逆送される用紙にカラー画像が印字されているが、これには限られない。従って、オーバーコート部６０及び印字部７０よりも搬送方向下流側に配置された搬送ローラ対による搬送力によって搬送方向上流側に向かって逆送される用紙にカラー画像が印字されてもよい。
【０１０２】
また、上述の実施の形態では、搬送量検知部２６が、用紙検出センサ９１によって用紙の先端が検出された後に、エンコーダ３６により検出される搬送ローラ対３４の回転数に基づいて用紙の搬送量を検知しているが、搬送量検知部２６が、その他の方法で用紙の搬送量を検知してもよい。
【０１０３】
また、上述の実施の形態では、巻取量決定部２５は、比較部２４において必要巻取量が最大巻取量以下であるという比較結果が得られた場合に、実際の巻取量を必要巻取量に決定しているが、比較部２４における比較結果に関係なく（必要巻取量と最大巻取量との比較を行わずに）、常に実際の巻取量を最大巻取量に決定してもよい。また、このとき、巻取量決定部２５が、実際の巻取量を必要巻取量よりも長く且つ最大巻取量以下の長さに決定してもよい。また、巻取量決定部２５は、比較部２４において必要巻取量が最大巻取量より長いという比較結果が得られた場合に、実際の巻取量を最大巻取量に決定しているが、この場合に、実際の巻取量を最大巻取量の長さの用紙に印字可能なコマ数に対応する長さに決定してもよい。
【０１０４】
また、上述の実施の形態では、用紙が用紙供給部４０から用紙巻取部８０に向かって搬送されるときに、サーマルヘッド６１ａ、７１ａ〜７３ａが待避位置に配置されているが、サーマルヘッド６１ａ、７１ａ〜７３ａがプリント位置に配置された状態で、用紙が用紙供給部４０から用紙巻取部８０に向かって搬送されてもよい。
【０１０５】
また、上述の実施の形態では、搬送機構３８による搬送経路が一方向に湾曲しているが、搬送経路は一方向に湾曲していなくてもよい。
【０１０６】
また、上述の実施の形態では、用紙の先端部近傍にヘッド放熱用の追加長さに対応する領域が設けられ且つ各画像間に余白部が形成されつつ複数のカラー画像が印字されているが、ヘッド放熱用の追加長さに対応する領域は設けられなくてもよいし、各画像間に余白部が形成されなくてもよい。
【０１０７】
また、上述の実施の形態では、オーバーコート部６０において、無色透明なインクが付着したインク領域を有するリボン６１ｃを含むヘッド部６１によって、カラー画像が印字された用紙の表面に対してオーバーコートが行われているが、オーバーコートを行うための構成は任意に変更することができる。従って、オーバーコート部は、例えばカラー画像が記録された記録媒体の表面に対してラミネート層を形成するものであってもよい。
【０１０８】
また、上述の実施の形態では、熱昇華方式のプリンタ１において、記録媒体である用紙と接触する３つのヘッド部７１〜７３によってカラー画像が印字されているが、カラー画像を記録可能なプリンタであれば、その画像記録部の構成はこれに限られない。従って、記録媒体と接触するヘッドを有するサーマルプリンタ（熱転写方式及び感熱記録方式を含む）であってもよいし、例えばインクジェットヘッド、ＦＯＣＲＴ（Fiber Optic Cathode-Ray-Tube）、レーザ光源などを有しており、記録媒体と接触しないでカラー画像を記録可能なプリンタであってもよい。また、画像記録部は、必ずしも複数の画像記録ヘッドを有している必要はなく、カラー画像を記録可能な１つの画像記録ヘッドだけを有していてもよい。従って、例えばイエロー、マゼンタ、シアンのインクを吐出可能なノズルをそれぞれ有する３つのインクジェットヘッドを有しており、それらのヘッドが記録媒体の搬送方向に交差する方向に往復動しつつカラー画像を記録するプリンタであってもよいし、イエロー、マゼンタ、シアンのインクを吐出可能なノズルを有する１つのインクジェットヘッドを有しており、そのヘッドが記録媒体の搬送方向に交差する方向に往復動しつつカラー画像を記録するプリンタであってもよい。
【図面の簡単な説明】
【０１０９】
【図１】本発明の実施の形態に係るプリンタの外観斜視図である。
【図２】図１のプリンタの画像形成部の概略構成を示す図である。
【図３】図１のプリンタの主要部及びこれらが接続された制御装置についてのブロック図である。
【図４】１オーダーに含まれる複数のカラー画像が用紙の先端部近傍に印字されるときの様子を示す図である。
【図５】プリンタ１での動作手順を示すフローチャートである。
【符号の説明】
【０１１０】
１  サーマルプリンタ（プリンタ）
１０  操作部
２０  制御装置
２１  最大巻取量記憶部（記憶手段）
２２  プリント情報記憶部
２３  必要巻取量算出部（算出手段）
２４  比較部（比較手段）
２５  巻取量決定部（決定手段）
２６  搬送量検知部（検知手段）
２７ａ  搬送制御部（搬送制御手段）
２７ｂ  印字制御部（画像記録制御手段）
２７ｃ  切断制御部
３０  プリント部
３４  搬送ローラ対
３６  エンコーダ（回転数検出手段）
３８  搬送機構
４０  用紙供給部（供給部）
５０  切断部
６０  オーバーコート部
７０  印字部（画像記録部）
７１ａ〜７３ａ  サーマルヘッド（画像記録ヘッド）
８０  用紙巻取部
９１  用紙検出センサ（先端検出手段）
９５  排出部
【図１】
2005262733.tif 000003
【図２】
2005262733.tif 000004
【図３】
2005262733.tif 000005
【図４】
2005262733.tif 000006
【図５】
2005262733.tif 000007